(57)【要約】【課題】ＤＯＣＳＩＳ情報を伝送するチャンネル選局のサーチ時間を短縮することができるＤＯＣＳＩＳモジュールを提供する。【解決手段】ＤＯＣＳＩＳモジュールは、ケーブルモデムに関するＤＯＣＳＩＳ規格に準拠したＤＯＣＳＩＳモジュールであって、前記ＤＯＣＳＩＳモジュールは、周波数について所定の周波数帯域幅ごとに設けられたチャンネルごとに選局して入力信号を受信するＤＯＣＳＩＳチューナ部と、前記ＤＯＣＳＩＳチューナ部への前記入力信号のパワーレベルを減衰させるＲＦ減衰器と、受信した前記チャンネルの内容がＤＯＣＳＩＳ情報か否かを判定するチャンネル種類判定部と、を含む。【選択図】図１
2010074714.tif 000002
【特許請求の範囲】
【請求項１】
ケーブルモデムに関するＤＯＣＳＩＳ規格に準拠したＤＯＣＳＩＳモジュールであって、前記ＤＯＣＳＩＳモジュールは、
周波数について所定の周波数帯域幅ごとに設けられたチャンネルごとに選局して入力信号を受信するＤＯＣＳＩＳチューナ部と、
前記ＤＯＣＳＩＳチューナ部への前記入力信号のパワーレベルを減衰させるＲＦ減衰器と、
受信した前記チャンネルの内容がＤＯＣＳＩＳ情報か否かを判定するチャンネル種類判定部と、
を含む、ＤＯＣＳＩＳモジュール。
【請求項２】
前記ＤＯＣＳＩＳチューナ部へ入力する入力信号について、前記ＲＦ減衰器を経由した入力信号と、前記ＲＦ減衰器を経由しないダイレクトの入力信号とを切り替える入力スイッチと、
少なくとも１つのチャンネルの入力信号のパワーレベルに基づいて前記入力スイッチを制御して、前記ＤＯＣＳＩＳチューナ部へ入力する入力信号を切り替えるスイッチ制御部と、
をさらに備える、請求項１に記載のＤＯＣＳＩＳモジュール。
【請求項３】
前記スイッチ制御部は、少なくとも１つのチャンネルの入力信号のパワーレベルを所定の閾値と比較して、
前記チャンネルの入力信号のパワーレベルが前記閾値以上の場合には、前記入力スイッチを制御して、前記ＲＦ減衰器を経由した入力信号を前記ＤＯＣＳＩＳチューナ部へ入力し、
前記チャンネルの入力信号のパワーレベルが前記閾値より小さい場合には、前記入力スイッチを制御して、前記ＲＦ減衰器を経由しないダイレクトの入力信号を前記ＤＯＣＳＩＳチューナ部へ入力する、
請求項２に記載のＤＯＣＳＩＳモジュール。
【請求項４】
前記スイッチ制御部は、全チャンネルの入力信号のパワーレベルを平均した平均のパワーレベルと、所定の閾値とを比較して、前記入力スイッチを制御する、請求項３に記載のＤＯＣＳＩＳモジュール。
【請求項５】
前記スイッチ制御部は、全チャンネルの入力信号のうちパワーレベルが最も高いチャンネルのパワーレベルと、所定の閾値とを比較して、前記入力スイッチを制御する、請求項３に記載のＤＯＣＳＩＳモジュール。
【請求項６】
前記スイッチ制御部は、全チャンネルからサンプリングしたチャンネルの入力信号のパワーレベルと、所定の閾値とを比較して、前記入力スイッチを制御する、請求項３に記載のＤＯＣＳＩＳモジュール。
【請求項７】
前記スイッチ制御部は、全チャンネルのうち最初に選局したチャンネルのパワーレベルと、所定の閾値とを比較して、前記入力スイッチを制御する、請求項３に記載のＤＯＣＳＩＳモジュール。
【請求項８】
前記スイッチ制御部は、前記ＤＯＣＳＩＳチューナ部で選局するチャンネルごとに、選局した前記チャンネルの入力信号のパワーレベルを所定の閾値と比較して、前記入力スイッチを制御する、請求項３に記載のＤＯＣＳＩＳモジュール。
【請求項９】
請求項１から８のいずれか一項に記載の前記ＤＯＣＳＩＳモジュールを含む、ケーブルモデム。
【請求項１０】
ケーブルモデムに関するＤＯＣＳＩＳ規格に準拠したＤＯＣＳＩＳ情報を伝送するチャンネルを選局する方法であって、
周波数について所定の周波数帯域幅ごとに設けられた少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信する選局ステップと、
受信した前記チャンネルの内容がＤＯＣＳＩＳ情報か否かを判定するチャンネル種類判定ステップと、
を含む、ＤＯＣＳＩＳ情報を伝送するチャンネルを選局する方法。
【請求項１１】
前記入力信号切り替えステップでは、少なくとも１つのチャンネルの入力信号のパワーレベルを所定の閾値と比較して、
前記チャンネルの入力信号のパワーレベルが前記閾値以上の場合には、パワーレベルを減衰させた入力信号に切り替え、
前記チャンネルの入力信号のパワーレベルが前記閾値より小さい場合には、パワーレベルを減衰させないダイレクトの入力信号に切り替える、
請求項１０に記載のＤＯＣＳＩＳ情報を伝送するチャンネルを選局する方法。
【請求項１２】
ケーブルモデムに関するＤＯＣＳＩＳ規格に準拠したＤＯＣＳＩＳ情報を伝送するチャンネルを選局する方法であって、
周波数について所定の周波数帯域幅ごとに設けられたチャンネルごとに選局してダイレクトの入力信号を受信する選局ステップと、
受信した前記チャンネルの内容がＤＯＣＳＩＳ情報か否かを判定するチャンネル種類判定ステップと、
全チャンネルにわたって、ＤＯＣＳＩＳ情報を伝送するチャンネルを選局できなかった場合において、全周波数帯域において所定の周波数帯域幅にわたって設けられた少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信する選局ステップと、
受信した前記チャンネルの内容がＤＯＣＳＩＳ情報か否かを判定するチャンネル種類判定ステップと、
を含む、ＤＯＣＳＩＳ情報を伝送するチャンネルを選局する方法。
【請求項１３】
ケーブルモデムに関するＤＯＣＳＩＳ規格に準拠したＤＯＣＳＩＳ情報を伝送するチャンネルを選局する方法をコンピュータで実行させるためのコンピュータプログラムであって、
周波数について所定の周波数帯域幅ごとに設けられた少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信するステップと、
受信した前記チャンネルの内容がＤＯＣＳＩＳ情報か否かを判定するチャンネル種類判定ステップと、
を含む、ＤＯＣＳＩＳ情報を伝送するチャンネルを選局する方法をコンピュータで実行させるためのコンピュータプログラム。
【請求項１４】
ケーブルモデムに関するＤＯＣＳＩＳ規格に準拠したＤＯＣＳＩＳ情報を伝送するチャンネルを選局する方法をコンピュータで実行させるためのコンピュータプログラムであって、
周波数について所定の周波数帯域幅ごとに設けられたチャンネルごとに選局してダイレクトの入力信号を受信する選局ステップと、
受信した前記チャンネルの内容がＤＯＣＳＩＳ情報か否かを判定するチャンネル種類判定ステップと、
全チャンネルにわたって、ＤＯＣＳＩＳ情報を伝送するチャンネルを選局できなかった場合において、少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信する選局ステップと、
受信した前記チャンネルの内容がＤＯＣＳＩＳ情報か否かを判定するチャンネル種類判定ステップと、
を含む、ＤＯＣＳＩＳ情報を伝送するチャンネルを選局する方法をコンピュータで実行させるためのコンピュータプログラム。
【請求項１５】
請求項１３又は１４に記載のＤＯＣＳＩＳ情報を伝送するチャンネルを選局する方法をコンピュータで実行させるためのコンピュータプログラムを格納したコンピュータ読み取り可能な記録媒体。
【発明の詳細な説明】
【技術分野】
【０００１】
本発明は、ケーブルテレビジョン（ＣＡＴＶ）網によってデジタル放送を受信するケーブルモデムにおいて、特に、ケーブルモデムに関するＤＯＣＳＩＳ（Ｄａｔａ  Ｏｖｅｒ  Ｃａｂｌｅ  Ｓｙｓｔｅｍ  Ｉｎｔｅｒｆａｃｅ  Ｓｐｅｃｉｆｉｃａｔｉｏｎ）規格に準拠したＤＯＣＳＩＳモジュールに関する。また、該ＤＯＣＳＩＳモジュールを用いたケーブルモデムに関する。
【背景技術】
【０００２】
従来のＣＡＴＶは、ビルの谷間や山間部等におけるテレビ画像の映りの悪さを回避するために、共同アンテナを設置するとともにケーブルにより加入者の家庭に送信するものである。また、このように有線のケーブルにより接続されることから、視聴者、顧客を特定できるため、有料テレビとしても用いられる。
【０００３】
従来のシステムは、放送局から家庭へ下り回線を使用して下り信号として情報を発信する、片方向のみ伝送するＣＡＴＶであった。しかし近年、ＣＡＴＶ網を利用してデータ通信を行うケーブルモデムが普及し、さらにケーブルモデムを内蔵したセットトップボックスが普及しはじめている。
【０００４】
通常、ケーブルモデムはテレビ放送用に割り当てられたチャネルのうちの一つを下りチャネルとして利用し、ケーブル局からケーブルモデムの方向（下り方向）のデータ通信を行う。どのチャネルを使用するかは各ＣＡＴＶ局によって異なるので、ケーブルモデムの設置時に、所定の周波数内にある利用可能なチャネルに順次チューニングし、自機に対するケーブルモデムの下りチャネルとして利用可能かどうかを判定する。一度利用可能な下りチャネルが見つかれば、それを不揮発性メモリ等に記憶し、次回からはその下りチャネルを最初に判定する。
【０００５】
一般にケーブルモデムの下りチャネルが自機にとって利用可能かどうかの判定には、時間がかかる。例えば、ＤＯＣＳＩＳ（Ｄａｔａ  Ｏｖｅｒ  Ｃａｂｌｅ  Ｓｙｓｔｅｍ  Ｉｎｔｅｒｆａｃｅ  Ｓｐｅｃｉｆｉｃａｔｉｏｎ）規格に準拠したケーブルモデムでは、次のような手順で判定を行う。
（１）周波数について所定の周波数帯域幅ごとに設けられたチャネルごとにチューニング（選局）する。
（２）入力信号を所定の変調方式に則って復調する。
（３）復調後の信号をＤＯＣＳＩＳ規格に則って復号する。
（４）パラメータ設定情報を受信し、自機を設定する。
（５）センター局にあるＣＭＴＳ（Ｃａｂｌｅ  Ｍｏｄｅｍ  Ｔｅｒｍｉｎａｔｉｏｎ  Ｓｙｓｔｅｍ）とやりとりし、タイミング調整や使用する上り周波数の微調整等を行う。
（６）ＤＨＣＰ（Ｄｙｎａｍｉｃ  Ｈｏｓｔ  Ｃｏｎｆｉｇｕｒａｔｉｏｎ  Ｐｒｏｔｏｃｏｌ）によりＤＨＣＰサーバーからＩＰアドレス等を取得し、設定する。
（７）ＴＯＤ（Ｔｉｍｅ  ｏｆ  Ｄａｙ）により、ＴＯＤサーバーから現在時刻を取得、時刻設定を行う。
（８）ＴＦＴＰ（Ｔｒｉｖｉａｌ  Ｆｉｌｅ  Ｔｒａｎｓｆｅｒ  Ｐｒｏｔｏｃｏｌ）により、ＴＦＴＰサーバーから上位層のパラメータを取得、設定する。
（９）ＣＭＴＳにケーブルモデムを登録する。
これらがすべて正しく動作したことをもって、下りチャネルが自機にとって利用可能であることがわかる。
【０００６】
上記の下りチャネルの設定は、ケーブルモデムの設置時の他、ＣＡＴＶ局の都合で下りチャネルが変更になった場合等にも行われる。
【０００７】
なお、ＣＡＴＶにおいて、テレビ放送用もしくはケーブルモデムの下りチャネル用に割り当てられている周波数帯域は、おおむね８８ＭＨｚから８６０ＭＨｚの範囲であり、１チャネル分の帯域幅は日本や米国では６ＭＨｚ、欧州では８ＭＨｚである。最悪の場合、ケーブルモデム設置時に１００前後のチャネルを判定する必要があり、これにより設置や下りチャネル変更時に多くの時間がかかっていた。
【０００８】
【特許文献１】特開２００４−２５４１０２号公報
【発明の開示】
【発明が解決しようとする課題】
【０００９】
また、ＤＯＣＳＩＳモジュールを含むケーブルモデムにおいては、周波数帯域にわたる全チャンネルの中からＤＯＣＳＩＳ情報を有するチャンネルを選局するためには多大な時間がかかっていた。
【００１０】
そこで、本発明の目的は、ＤＯＣＳＩＳ情報を伝送するチャンネル選局のサーチ時間を短縮することができるＤＯＣＳＩＳモジュールを提供することである。
【課題を解決するための手段】
【００１１】
本発明に係るＤＯＣＳＩＳモジュールは、ケーブルモデムに関するＤＯＣＳＩＳ規格に準拠したＤＯＣＳＩＳモジュールであって、前記ＤＯＣＳＩＳモジュールは、
周波数について所定の周波数帯域幅ごとに設けられたチャンネルごとに選局して入力信号を受信するＤＯＣＳＩＳチューナ部と、
前記ＤＯＣＳＩＳチューナ部への前記入力信号のパワーレベルを減衰させるＲＦ減衰器と、
受信した前記チャンネルの内容がＤＯＣＳＩＳ情報か否かを判定するチャンネル種類判定部と、
を含む。
【００１２】
また、前記ＤＯＣＳＩＳチューナ部へ入力する入力信号について、前記ＲＦ減衰器を経由した入力信号と、前記ＲＦ減衰器を経由しないダイレクトの入力信号とを切り替える入力スイッチと、
少なくとも１つのチャンネルの入力信号のパワーレベルに基づいて前記入力スイッチを制御して、前記ＤＯＣＳＩＳチューナ部へ入力する入力信号を切り替えるスイッチ制御部と、
をさらに備えてもよい。
【００１３】
さらに、前記スイッチ制御部は、少なくとも１つのチャンネルの入力信号のパワーレベルを所定の閾値と比較して、その結果に応じて以下のように応答を分岐させてもよい。
ａ）前記チャンネルの入力信号のパワーレベルが前記閾値以上の場合には、前記入力スイッチを制御して、前記ＲＦ減衰器を経由した入力信号を前記ＤＯＣＳＩＳチューナ部へ入力する。
ｂ）前記チャンネルの入力信号のパワーレベルが前記閾値より小さい場合には、前記入力スイッチを制御して、前記ＲＦ減衰器を経由しないダイレクトの入力信号を前記ＤＯＣＳＩＳチューナ部へ入力する。
【００１４】
またさらに、前記スイッチ制御部は、全チャンネルの入力信号のパワーレベルを平均した平均のパワーレベルと、所定の閾値とを比較して、前記入力スイッチを制御してもよい。あるいは、前記スイッチ制御部は、全チャンネルの入力信号のうちパワーレベルが最も高いチャンネルのパワーレベルと、所定の閾値とを比較して、前記入力スイッチを制御してもよい。また、前記スイッチ制御部は、全チャンネルからサンプリングしたチャンネルの入力信号のパワーレベルと、所定の閾値とを比較して、前記入力スイッチを制御してもよい。さらに、前記スイッチ制御部は、全チャンネルのうち最初に選局したチャンネルのパワーレベルと、所定の閾値とを比較して、前記入力スイッチを制御してもよい。
【００１５】
また、前記スイッチ制御部は、前記ＤＯＣＳＩＳチューナ部で選局するチャンネルごとに、選局した前記チャンネルの入力信号のパワーレベルを所定の閾値と比較して、前記入力スイッチを制御してもよい。
【００１６】
本発明に係るケーブルモデムは、前記ＤＯＣＳＩＳモジュールを含むことを特徴とする。
【００１７】
本発明に係るケーブルモデムに関するＤＯＣＳＩＳ規格に準拠したＤＯＣＳＩＳ情報を伝送するチャンネルを選局する方法は、
周波数について所定の周波数帯域幅ごとに設けられた少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信する選局ステップと、
受信した前記チャンネルの内容がＤＯＣＳＩＳ情報か否かを判定するチャンネル種類判定ステップと、
を含む。
【００１８】
また、前記入力信号切り替えステップでは、少なくとも１つのチャンネルの入力信号のパワーレベルを所定の閾値と比較して、その結果に応じて以下のように応答を分岐させてもよい。
ａ）前記チャンネルの入力信号のパワーレベルが前記閾値以上の場合には、パワーレベルを減衰させた入力信号に切り替える。
ｂ）前記チャンネルの入力信号のパワーレベルが前記閾値より小さい場合には、パワーレベルを減衰させないダイレクトの入力信号に切り替える。
【００１９】
本発明に係るケーブルモデムに関するＤＯＣＳＩＳ規格に準拠したＤＯＣＳＩＳ情報を伝送するチャンネルを選局する方法は、
周波数について、所定の周波数帯域幅ごとに設けられたチャンネルごとに選局してダイレクトの入力信号を受信する選局ステップと、
受信した前記チャンネルの内容がＤＯＣＳＩＳ情報か否かを判定するチャンネル種類判定ステップと、
全チャンネルにわたって、ＤＯＣＳＩＳ情報を伝送するチャンネルを選局できなかった場合において、少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信する選局ステップと、
受信した前記チャンネルの内容がＤＯＣＳＩＳ情報か否かを判定するチャンネル種類判定ステップと、
を含む。
【００２０】
本発明に係るケーブルモデムに関するＤＯＣＳＩＳ規格に準拠したＤＯＣＳＩＳ情報を伝送するチャンネルを選局する方法をコンピュータで実行させるためのコンピュータプログラムは、
周波数について所定の周波数帯域幅ごとに設けられた少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信するステップと、
受信した前記チャンネルの内容がＤＯＣＳＩＳ情報か否かを判定するチャンネル種類判定ステップと、
を含む。
【００２１】
本発明に係るケーブルモデムに関するＤＯＣＳＩＳ規格に準拠したＤＯＣＳＩＳ情報を伝送するチャンネルを選局する方法をコンピュータで実行させるためのコンピュータプログラムは、
周波数について所定の周波数帯域幅ごとに設けられたチャンネルごとに選局してダイレクトの入力信号を受信する選局ステップと、
受信した前記チャンネルの内容がＤＯＣＳＩＳ情報か否かを判定するチャンネル種類判定ステップと、
全チャンネルにわたって、ＤＯＣＳＩＳ情報を伝送するチャンネルを選局できなかった場合において、少なくとも１つのチャンネルの入力信号のパワーレベルに基づいて、パワーレベルを減衰させた入力信号と、パワーレベルを減衰させないダイレクトの入力信号とを切り替える入力信号切り替えステップと、
チャンネルごとに選局して入力信号を受信する選局ステップと、
受信した前記チャンネルの内容がＤＯＣＳＩＳ情報か否かを判定するチャンネル種類判定ステップと、
を含む。
【００２２】
また、ケーブルモデムに関するＤＯＣＳＩＳ規格に準拠したＤＯＣＳＩＳ情報を伝送するチャンネルを選局する方法をコンピュータで実行させるためのコンピュータプログラムをコンピュータ読み取り可能な記録媒体に格納してもよい。
【発明の効果】
【００２３】
本発明に係るＤＯＣＳＩＳモジュールによれば、ＤＯＣＳＩＳチューナ部への入力信号のパワーレベルを減衰させるＲＦ減衰器を備えるので、チャンネルのパワーレベルが閾値以上の強電界下での歪み特性を向上させることができる。
【００２４】
さらに、本発明に係るＤＯＣＳＩＳモジュールによれば、ＤＯＣＳＩＳチューナ部への入力信号を切り替える入力スイッチと、入力スイッチを制御して、信号をダイレクトにＤＯＣＳＩＳチューナ部に入力するか、又は、ＲＦ減衰器を経由してＤＯＣＳＩＳチューナ部に入力するスイッチ制御部とを備える。これによって、チャンネルのパワーレベルが所定の閾値以上の場合と、パワーレベルが閾値未満の場合のそれぞれの場合に応じてパワーレベルを減衰させる歪み性能重視の設定と、弱電性能重視の設定とを選択的に適用することができる。
【発明を実施するための最良の形態】
【００２５】
本発明の実施の形態に係るＤＯＣＳＩＳモジュール及び該ＤＯＣＳＩＳモジュールを含むケーブルモデムについて添付図面を用いて以下に説明する。なお、図面において実質的に同一の部材には同一の符号を付している。
【００２６】
（実施の形態１）
図１は、本発明の実施の形態１に係るＤＯＣＳＩＳモジュール１０の構成を示すブロック図である。このＤＯＣＳＩＳモジュール１０は、入力信号をチャンネルごとに選局して受信するＤＯＣＳＩＳチューナ部１４と、ＤＯＣＳＩＳチューナ部１４への入力信号のパワーレベルを減衰させるＲＦ減衰器１１と、ＤＯＣＳＩＳチューナ部１４への入力信号を切り替える入力スイッチ１２と、入力スイッチ１２を制御して、ダイレクトの入力信号をＤＯＣＳＩＳチューナ部１４に入力するか、又は、ＲＦ減衰器１１を経由してパワーレベルを減衰させた入力信号をＤＯＣＳＩＳチューナ部１４に入力するスイッチ制御部１３と、ＱＡＭ復調部１５と、チャンネル種類判定部１６と、ＤＯＣＳＩＳモジュレータ１７と、を備える。
【００２７】
なお、ケーブルモデムの下りチャネル用に割り当てられている周波数帯域は、例えば、米国では８８ＭＨｚから８６０ＭＨｚの範囲（１ｃｈ〜１３５ｃｈ）である。また、各国におけるケーブルテレビにおける１チャネル分の周波数帯域幅は、日本、米国では６ＭＨｚ、欧州では８ＭＨｚである。また、通常、小さなチャンネル番号から大きなチャンネル番号に順番に選局が行われる。
【００２８】
＜第１の特徴＞
このＤＯＣＳＩＳモジュール１０は、ＤＯＣＳＩＳチューナ部１４への入力信号のパワーレベルを減衰させるＲＦ減衰器１１を備えることを第１の特徴とする。すなわち、チャンネルのパワーレベルが閾値よりも高い強電界下での歪み性能を重視する設定を有することを特徴とする。パワーレベルが所定の閾値以上の強電界下では歪み特性が劣化してしまう。そこで、入力信号のパワーレベルが所定の閾値より大きい場合、ＲＦ減衰器１１によって入力信号のパワーレベルを減衰させる。これによって、チャンネルのパワーレベルが閾値以上の強電界下での歪み特性を向上させることができる。
【００２９】
＜第２の特徴＞
さらに、このＤＯＣＳＩＳモジュール１０では、ＤＯＣＳＩＳチューナ部１４への入力信号を切り替える入力スイッチ１２と、入力スイッチ１２を制御して、ダイレクトの入力信号をＤＯＣＳＩＳチューナ部１４に入力するか、又は、ＲＦ減衰器１１を経由してパワーレベルを減衰させた入力信号をＤＯＣＳＩＳチューナ部１４に入力する、スイッチ制御部１３とを備えることを第２の特徴とする。
【００３０】
スイッチ制御部１３は、少なくとも一つのチャンネルの入力信号のパワーレベルに基づいて入力スイッチ１２を制御して、入力信号をダイレクトにＤＯＣＳＩＳチューナ部１４に入力するか、ＲＦ減衰器１１を経由してＤＯＣＳＩＳチューナ部１４に入力する。具体的には、スイッチ制御部１３は、少なくとも１つのチャンネルの入力信号のパワーレベルを所定の閾値と比較して、パワーレベルに応じて、以下のように入力スイッチ１２を制御する。なお、パワーレベルの検出は、例えば、自動利得制御（ＡＧＣ）値を参照することで行うことができる。
（ａ）チャンネルの入力信号のパワーレベルが閾値以上の場合には、入力スイッチ１２を制御して、ＲＦ減衰器１１を経由してパワーレベルを減衰させた入力信号をＤＯＣＳＩＳチューナ部１４へ入力する。
（ｂ）チャンネルの入力信号のパワーレベルが閾値より小さい場合には、入力スイッチ１２を制御して、ＲＦ減衰器１１を経由しないダイレクトの入力信号をＤＯＣＳＩＳチューナ部１４へ入力する。
【００３１】
（効果）
本願発明に係るＤＯＣＳＩＳモジュール１０では、上述のように、少なくとも１つのチャンネルの入力信号のパワーレベルを所定の閾値と比較して、パワーレベルに応じて以下のように入力スイッチ１２を制御することを第２の特徴とする。ＲＦ減衰器１１を用いない従来型の場合には、強電界下で歪み性能が悪化してしまう。これに対して、ＲＦ減衰器１１を一律に用いた場合には、強電界下での歪み性能を改善できるが、その一方、弱電界下では十分な弱電性能が得られない。つまり、歪み性能と弱電性能とは互いにトレードオフの関係にあり、いずれか一方の特性を重視すると他方の特性が低下する。本願発明では、上述のように、パワーレベルに応じて以下のように入力スイッチ１２を制御することによって、チャンネルのパワーレベルが所定の閾値以上の場合と、パワーレベルが閾値未満の場合のそれぞれの場合に応じてパワーレベルを減衰させる歪み性能重視の設定と、弱電性能重視の設定とを選択的に適用することができる。
【００３２】
なお、スイッチ制御部１３は、全チャンネルの入力信号のパワーレベルを平均した平均のパワーレベルと、所定の閾値とを比較して、入力スイッチ１２を制御してもよい。あるいは、全チャンネルの入力信号のうちパワーレベルが最も高いチャンネルのパワーレベルと、所定の閾値とを比較して、入力スイッチ１２を制御してもよい。また、全チャンネルからサンプリング、例えば、１０チャンネルごとにサンプリングしたチャンネルの入力信号のパワーレベルと、所定の閾値とを比較して、入力スイッチ１２を制御してもよい。さらに、全チャンネルのうち最初に選局したチャンネルのパワーレベルと、所定の閾値とを比較して、入力スイッチ１２を制御してもよい。またさらに、ＤＯＣＳＩＳチューナ部１４で選局するチャンネルごとに、選局したチャンネルの入力信号のパワーレベルを所定の閾値と比較して、所定の閾値とを比較して、入力スイッチ１２を制御してもよい。
【００３３】
図３は、周波数について所定の周波数帯域幅ごとに設けられたチャンネルの入力信号のパワーレベルと閾値との関係を示す概略図である。実線Ａのパターンはパワーレベルが閾値よりも低い例であり、一点鎖線Ｂのパターンは、パワーレベルが閾値よりも高い例である。実線Ａのように全てのチャンネルでパワーレベルが閾値よりも低いパターンでは、各チャンネルのパワーレベルを減衰させる必要はない。この場合には、スイッチ制御部１３によって入力スイッチ１２を制御して、ＲＦ減衰器１１を経由しないダイレクトの入力信号をＤＯＣＳＩＳチューナ部１４に入力させる。これにより弱電性能重視の設定とすることができる。一方、一点鎖線Ｂの場合には全てのチャンネルでパワーレベルが閾値より大きい。そこで、スイッチ制御部１３によって入力スイッチ１２を制御して、ＲＦ減衰器１１を経由してパワーレベルを減衰させた入力信号をＤＯＣＳＩＳチューナ部１４に入力させる。これにより強電界下での歪み性能重視の設定とすることができる。
【００３４】
図４は、各チャンネルのパワーレベルがチャンネルごとに変化する例を示す概略図である。ここに示す例では、低周波数側のチャンネルでパワーレベルが閾値より高いが、高周波数側のチャンネルでパワーレベルが閾値より低くなっている。この場合、強電界下での歪み性能を重視する場合、スイッチ制御部１３によって入力スイッチ１２を制御して、ＲＦ減衰器１１を経由してパワーレベルを減衰させた入力信号をＤＯＣＳＩＳチューナ部１４に入力させてもよい。弱電性能重視の場合、スイッチ制御部１３によって入力スイッチ１２を制御して、ＲＦ減衰器１１を経由しないダイレクトの入力信号をＤＯＣＳＩＳチューナ部１４に入力させてもよい。さらに詳細に、例えば、選局するチャンネルごとに、選局したチャンネルの入力信号のパワーレベルを所定の閾値と比較して、所定の閾値とを比較して、入力スイッチ１２を制御してもよい。
【００３５】
なお、本実施の形態では、パワーレベルの検出時間を要するが、パワーレベルに応じて確実にＤＯＣＳＩＳ情報を伝送するチャンネル選局を実現できる。
【００３６】
＜ケーブルモデム＞
図２は、図１のＤＯＣＳＩＳモジュール１０を含むケーブルモデムのフロントエンド部２０の概略的な構成を示すブロック図である。このケーブルモデムのフロントエンド部２０は、本発明に係る上記ＤＯＣＳＩＳモジュール１０を含んでいる。なおフロントエンド部以外の構成については説明を省略する。このケーブルモデムは、上記ＤＯＣＳＩＳモジュール１０以外に、フロントエンド部２０には、例えば、ＦＡＴチューナ部２１、ＱＡＭ復調部２２、ＦＤＣチューナ部２３、ＱＰＳＫ復調部２４、ＰＯＤ（Ｐｏｉｎｔ  ｏｆ  Ｄｅｐｌｏｙｍｅｎｔ）部２５、ＱＰＳＫ変調部２６、ＲＤＣアンプ部２７、スイッチ部２８、を含む。ＦＡＴチューナ部２１は、ケーブル会社からのＦＡＴ（Ｆｏｒｗａｒｄ  Ａｐｐｌｉｃａｔｉｏｎ  Ｔｒａｎｓｐｏｒｔ  Ｃｈａｎｎｅｌ）信号から選局されたチャンネルの周波数とローカル信号を混合し、規定周波数のＩＦ信号に周波数変換して、選局されたチャンネルに隣接して存在する他のチャンネルの信号を取り除き、ＱＡＭ復調部２２が正しく動作する適切な信号を出力する。ＱＡＭ復調部２２は、ＱＡＭ変調された信号を復調する。ＦＤＣチューナ部２３は、ケーブル会社からのＦＤＣ（Ｆｏｒｗａｒｄ  Ｄａｔａ  Ｃｈａｎｎｎｅｌ）信号から、ＰＯＤ部２５に設定されているＦＤＣ信号の存在する周波数を選局し、ＩＦ信号に周波数変換し、選局したチャンネルに隣接して存在する他のチャンネルの信号を取り除き、ＱＰＳＫ復調部２４が正しく動作する適切な信号を出力する。ＱＰＳＫ復調部２４は、ＱＰＳＫ変調された信号を復調する。ＰＯＤ部２５は、ケーブル会社から送られてくるＦＤＣ信号の周波数と、ＦＤＣ信号に含まれている情報（チャンネル配置情報、課金情報、お客様情報）を受信する。
【００３７】
なお、このケーブルモデムにおいて、上記ＤＯＣＳＩＳモジュール１０以外の構成については、Ｏｐｅｎ  Ｃａｂｌｅ標準規格のＯｐｅｎ  Ｃａｂｌｅ  Ｈｏｓｔ  Ｄｅｖｉｃｅ  ２．１  Ｃｏｒｅ  Ｆｕｎｃｔｉｏｎａｌ  Ｒｅｑｕｉｒｅｍｅｎｔ（２００８年６月２０日公開（ＯＣ−ＳＰ−ＨＯＳＴ２．１−ＣＦＲ−１０５−０８０６２０））、あるいは上記規格に対応してその後に公開される標準規格に対応した放送を受信する受信機に関する仕様に準拠しているものであればよい。上記標準規格では、Ｆｉｇｕｒｅ  ３．１−１のブロック図で、受信機には、ＤＯＣＳＩＳモジュレータ、６ＭＨｚ  チューナ（ＤＯＣＳＩＳ  チャンネル）、６４／２５６ＱＡＭ復調器、ＤＯＣＳＩＳ  ＭＡＣが含まれており、これらを含む構成がＤＯＣＳＩＳモジュールに対応する。
【００３８】
（実施の形態２）
＜ＤＯＣＳＩＳ情報を伝送するチャンネルの選局方法＞
図５は、本発明の実施の形態２に係るＤＯＣＳＩＳ情報を伝送するチャンネルの選局方法のフローチャートである。
（ａ）全体の初期化を行う（Ｓ０１）。
（ｂ）全チャンネルの入力信号のパワーレベルを取得し、その平均のパワーレベルを得る（Ｓ０２）。
（ｃ）平均のパワーレベルと所定の閾値とを比較する（Ｓ０３）。
（ｄ）平均のパワーレベルが所定の閾値以上の場合には、入力信号のパワーレベルを減衰させる（Ｓ０４）。一方、平均のパワーレベルが所定の閾値より低い場合には、減衰させないダイレクトの入力信号のままとする（Ｓ０５）。
（ｅ）チャンネルごとに、その内容がＤＯＣＳＩＳ情報であるか否か判定する（Ｓ０６）。
（ｆ）チャンネルの内容がＤＯＣＳＩＳ情報である場合には、ＤＯＣＳＩＳ情報を伝送するチャンネルの選局に成功（Ｓ０７）したものであり、選局を終了する（エンドへ）。
（ｇ）チャンネルの内容がＤＯＣＳＩＳ情報でなかった場合には、全チャンネルのサーチが完了したか否か確認する（Ｓ０８）。
（ｈ）全チャンネルのサーチが完了していない場合には、次のチャンネル（Ｓ０９）の選局に移って、ステップＳ０６に移行する。
（ｉ）全チャンネルのサーチが完了した場合には、ＤＯＣＳＩＳ情報を伝送するチャンネルの選局に失敗（Ｓ１０）となるので、初期化のステップＳ０１に戻ってＤＯＣＳＩＳ情報を伝送するチャンネルの選局をやり直す。
以上の各ステップを行って、ＤＯＣＳＩＳ情報を伝送するチャンネルの選局を行うことができる。
【００３９】
なお、上記の例では、全チャンネルの入力信号のパワーレベルを取得し、その平均のパワーレベルを得て（Ｓ０２）、所定の閾値と比較した（Ｓ０３）が、上記の場合に限られるわけではない。例えば、全チャンネルの入力信号のうちパワーレベルが最も高いチャンネルのパワーレベルと、所定の閾値とを比較してもよい。また、全チャンネルからサンプリング、例えば、１０チャンネルごとにサンプリングしたチャンネルの入力信号のパワーレベルと、所定の閾値とを比較してもよい。さらに、全チャンネルのうち最初に選局したチャンネルのパワーレベルと、所定の閾値とを比較してもよい。またさらに、ＤＯＣＳＩＳチューナで選局するチャンネルごとに、選局したチャンネルの入力信号のパワーレベルを所定の閾値と比較してもよい。
【００４０】
また、このＤＯＣＳＩＳ情報を伝送するチャンネルの選局方法は、コンピュータにおいて実行可能なコンピュータプログラムとして実現することができる。また、上記コンピュータプログラムは、コンピュータで読み取り可能な記録媒体に格納してもよい。記録媒体は、フレキシブルディスク、磁気テープ等の磁気記録媒体、コンパクトディスク、デジタル・バーサタイル・ディスク等の光記録媒体、光磁気記録媒体、ＵＳＢメモリ、フラッシュメモリ等の半導体記憶媒体等のいずれであってもよい。
【００４１】
（実施の形態３）
図６は、本発明の実施の形態３に係るＤＯＣＳＩＳ情報を伝送するチャンネルの選局方法のフローチャートである。このＤＯＣＳＩＳ情報を伝送するチャンネルの選局方法は、実施の形態２に係る選局方法と比較すると、最初にチャンネルの入力信号のパワーレベルを減衰させることなくダイレクトの入力信号によってＤＯＣＳＩＳ情報を伝送するチャンネルをサーチする一連のステップ（Ｓ１２〜Ｓ１７）を含む点で相違している。これらのステップを実行することにより、弱電性能に強い設定、すなわち入力信号のチャンネルのパワーレベルを減衰させない設定で、ＤＯＣＳＩＳ情報を伝送するチャンネルの選局を行う。このように弱電性能に強い設定でＤＯＣＳＩＳ情報を伝送するチャンネルの選局に成功した場合、パワーレベルの検出を行うための時間を短縮させることができる。
【００４２】
なお、上記設定でチャンネル選局に失敗した場合には、実施の形態２と同様の設定、すなわち、チャンネルのパワーレベルが所定の閾値以上の場合と、パワーレベルが閾値未満の場合のそれぞれの場合に応じてパワーレベルを減衰させる歪み性能重視の設定と、弱電性能重視の設定とを選択的に適用する。
【００４３】
本発明の実施の形態３に係るＤＯＣＳＩＳ情報を伝送するチャンネルの選局方法について、図６のフローチャートを用いて以下に説明する。
（ａ）全体の初期化を行う（Ｓ１１）。
（ｂ）減衰させないダイレクトの入力信号のままとする（Ｓ１２）。つまり、入力スイッチ１２を制御して、ＲＦ減衰器１１を経由しないダイレクトの入力信号をＤＯＣＳＩＳチューナ部１４に入力する。
（ｃ）チャンネルごとに、その内容がＤＯＣＳＩＳ情報であるか否か判定する（Ｓ１３）。
（ｄ）チャンネルの内容がＤＯＣＳＩＳ情報である場合には、ＤＯＣＳＩＳ情報を伝送するチャンネルの選局に成功（Ｓ１４）したものであり、選局を終了する（エンドへ）。
（ｅ）チャンネルの内容がＤＯＣＳＩＳ情報でなかった場合には、全チャンネルのサーチが完了したか否か確認する（Ｓ１５）。
（ｆ）全チャンネルのサーチが完了していない場合には、次のチャンネル（Ｓ１６）の選局に移って、ステップＳ１３に戻る。
（ｇ）全チャンネルのサーチが完了した場合には、減衰させないダイレクトの入力信号の設定によるＤＯＣＳＩＳ情報を伝送するチャンネルの選局が失敗（Ｓ１７）となるので、次のステップＳ１８に移行する。なお、以下のステップＳ１８〜Ｓ２６は、実施の形態２の選局方法と同様のステップである。
【００４４】
（ｈ）全チャンネルの入力信号のパワーレベルを取得し、その平均のパワーレベルを得る（Ｓ１８）。
（ｉ）平均のパワーレベルと所定の閾値とを比較する（Ｓ１９）。
（ｊ）平均のパワーレベルが所定の閾値以上の場合には、入力信号のパワーレベルを減衰させる（Ｓ２０）。平均のパワーレベルが所定の閾値より低い場合には、減衰させないダイレクトの入力信号のままとする（Ｓ２１）。
（ｋ）チャンネルごとに、その内容がＤＯＣＳＩＳ情報であるか否か判定する（Ｓ２２）。
（ｌ）チャンネルの内容がＤＯＣＳＩＳ情報である場合には、ＤＯＣＳＩＳ情報を伝送するチャンネルの選局に成功（Ｓ２３）したものであり、選局を終了する（エンドへ）。
（ｍ）チャンネルの内容がＤＯＣＳＩＳ情報でなかった場合には、全チャンネルのサーチが完了したか否か確認する（Ｓ２４）。
（ｏ）全チャンネルのサーチが完了していない場合には、次のチャンネル（Ｓ２５）の選局に移って、ステップＳ２２に戻る。
（ｎ）全チャンネルのサーチが完了した場合には、ＤＯＣＳＩＳ情報を伝送するチャンネルの選局が失敗（Ｓ２６）となるので、ステップＳ１８に戻ってＤＯＣＳＩＳ情報を伝送するチャンネルの選局をやり直す。
以上の各ステップを行って、ＤＯＣＳＩＳ情報を伝送するチャンネルの選局を行うことができる。
【００４５】
なお、本実施の形態では、弱電性能重視の設定でチャンネル選局に失敗した場合、パワーレベルの検出時間を要する。しかし、市場では弱電性能を重視する環境が多いため、選局時間が従来とほぼ同程度となることが期待できる。
【００４６】
なお、本実施の形態では、まず、ＲＦ減衰器１１を経由しないダイレクトの入力信号についてＤＯＣＳＩＳ情報を伝送するチャンネルの選局を行ったが、これに限られず、例えば、先にＲＦ減衰器１１を経由してパワーレベルを減衰させた入力信号についてＤＯＣＳＩＳ情報を伝送するチャンネルの選局を行ってもよい。
【産業上の利用可能性】
【００４７】
本発明に係るＤＯＣＳＩＳモジュールは、ＤＯＣＳＩＳ規格に準拠したケーブルモデムに組み込んで、ケーブルモデムとして利用できる。
【図面の簡単な説明】
【００４８】
【図１】本発明の実施の形態１に係るＤＯＣＳＩＳモジュールの構成を示すブロック図である。
【図２】図１のＤＯＣＳＩＳモジュールを含むケーブルモデムのフロントエンド部の概略的な構成を示すブロック図である。
【図３】各チャンネルのパワーレベルと閾値との関係を示す概略図である。
【図４】各チャンネルのパワーレベルと閾値との関係を示す別例の概略図である。
【図５】実施の形態２に係るＤＯＣＳＩＳ情報を伝送するチャンネルの選局方法のフローチャートである。
【図６】実施の形態３に係るＤＯＣＳＩＳ情報を伝送するチャンネルの選局方法のフローチャートである。
【符号の説明】
【００４９】
１０  ＤＯＣＳＩＳモジュール
１１  ＲＦ減衰器
１２  入力スイッチ
１３  スイッチ制御部
１４  ＤＯＣＳＩＳチューナ部
１５  ＱＡＭ復調部
１６  チャンネル種類判定部
１７  ＤＯＣＳＩＳモジュレータ
２０  ケーブルモデムのフロントエンド部
２１  ＦＡＴチューナ部
２２  ＱＡＭ復調部
２３  ＦＤＣチューナ部
２４  ＱＰＳＫ復調部
２５  ＰＯＤ部
２６  ＱＰＳＫ変調部
２７  ＲＤＣアンプ部
【図１】
2010074714.tif 000003
【図２】
2010074714.tif 000004
【図３】
2010074714.tif 000005
【図４】
2010074714.tif 000006
【図５】
2010074714.tif 000007
【図６】
2010074714.tif 000008